(57)【特許請求の範囲】
【請求項１】
チェーンソー用のソーチェーンの刃の目立て器であって、
前記ソーチェーンの保持手段を有するフレームと、
前記フレームに対して移動可能に巻き掛けられた巻掛伝動部材と、
前記巻掛伝動部材に千鳥状に取り付けられた複数のホルダと、
前記フレームに対して固定されたラックギヤと、
各ホルダに対して回転自在に取り付けられ、前記巻掛伝動部材が移動することで前記ラックギヤと噛み合って回転するピニオンギヤと、
各ピニオンギヤに固定されて前記ピニオンギヤとともに回転することで、前記ソーチェーンの前記刃を切削研磨する切削刃物と、を備えることを特徴とする、ソーチェーンの刃の目立て器。
【請求項２】
前記巻掛伝動部材は、チェーンであり、前記チェーンは、前記ソーチェーンと同一のピッチを有することを特徴とする、請求項１に記載されたソーチェーンの刃の目立て器。
【請求項３】
前記巻掛伝動部材を駆動する駆動装置をさらに備えることを特徴とする、請求項１又は請求項２に記載されたソーチェーンの刃の目立て器。
【請求項４】
前記チェーンソーのガイドバーから取り外された前記ソーチェーンを、前記保持手段で保持するためのダミーガイドバーをさらに備えることを特徴とする、請求項１乃至請求項３のいずれか一項に記載されたソーチェーンの刃の目立て器。
【請求項５】
目立て対象の、チェーンソーに装着されたチェーンのカッターリンク（刃）に対して、切断進行方向に同一間隔、かつ、カッターリンク（刃）と同様に千鳥状に配置された取付・取外し交換の出来る切削・研削用刃物を自転可能な状態で目立て器のループ状チェーンリンクに保持し、ループ状チェーンは目立て器の両端に配置されているスプロケットに装着されて回転を維持する機構を持ち、スプロケットを保持するフレームで構成した目立て器と目立て対象チェーンソーのガイドプレートを適当な位置でクランプする事でチェーンソーと目立て器を一体化する事を特徴とするチェーンソー自動目立て器。
【発明の詳細な説明】
【技術分野】
【０００１】
本発明は、チェーンソーのカッターリンク（刃）の自動で容易な目立て処理に関するものである。
【背景技術】
【０００２】
最近、専用の外側上切刃仕立てに於いて、目立て処理を内側R形砥石に依って自動で行う目立て器以外では、従来のチェーンソーのカッターリンク（刃）を自動で目立て処理が出来る器具は見当たらない。
【先行技術文献】
【特許文献】
【０００３】
【特許文献１】特開２０１２−１５２８８８号公報
【特許文献２】特開２０１１−１４３４８５号公報
【特許文献３】特開２００４−１４２００４号公報
【発明の概要】
【発明が解決しようとする課題】
【０００４】
解決しようとする問題点は、チェーンソーのチェーン上のカッターリンク（刃）が切断進行方向に対して間隔を持ちつつ、左右交互に角度を形成して配置されているため、連続的な自動目立て処理の難しい点である。
【課題を解決するための手段】
【０００５】
本発明は、チェーンソーのカッターリンク（刃）が切断進行方向に一定間隔で、左右交互に均等な角度で刃を配置された構成が無限連鎖状にチェーンでリンクされたチェーンソーを連続的且つ自動的に目立て処理を実施するため、チェーンソーに適度な張りで装着されたチェーン上のカッターリンク（刃）に対して切断進行方向と同一方向に同間隔、かつ、カッターリンク（刃）と同様な角度に切削・研削用刃物（丸ヤスリ等）を自転可能状態で目立て器のループ状チェーンリンクに保持し且つループ状チェーンは目立て器の両端に配置されているスプロケットに装着されて回転を維持する機構を持ち、スプロケットを保持する目立て器のフレームとチェーンソーのガイドプレートを適当な位置でクランプする事でチェーンソーと目立て器を一体化する。【０００６】
目立て器とチェーンソーが一体化された事によりチェーンソーのチェーン、もしくは目立て器のループ状チェーンを回転する事で、切削・研削用刃物（丸ヤスリ等）がチェーンソーのカッターリンク（刃）に引かれ受け板上を自転しながらカッターリンク（刃）と接触し目立てを実施し、スプロケット回転位置の昇降部で切削・研削用刃物（丸ヤスリ等）がカッターリンク（刃）と噛み合い（嵌合）・分離を繰り返すことで目立て処理を行う事を最も主要な特徴とする。
【発明の効果】
【０００７】
本発明のチェーンソー自動目立て器は、チェーンソーのカッターリンク（刃）と目立て器の切削・研削用刃物（丸ヤスリ等）が嵌合接触することで目立て処理を実施するため、チェーンソーのチェーン、もしくは目立て器側のループ状チェーンのどちらかの駆動源により回転させることで連続的に嵌合接触が行われるため、目立て処理ができる利点がある。
【図面の簡単な説明】
【０００８】
【図１】チェーンソー自動目立て器の実施方法を示した一部強調斜視図である。（実施例１）
【図２】チェーンソー自動目立て器の実施方法を示した一部強調断面図の有る平面図である。（実施例１）
【図３】チェーンソー自動目立て器の実施方法を示した一部分解斜視図である。（実施例１）
【図４】実施例３のソーチェーンの刃の目立て器の斜視図である。
【図５】実施例３のソーチェーンの刃の目立て器の切削刃物の配置を説明した平面図である。
【図６】実施例３のソーチェーンの刃の目立て器の切削刃物の取付構造を拡大して説明した平面図である。
【図７】ソーチェーンの刃の目立て器によってソーチェーンを目立てしている状態を説明した説明図である。
【発明を実施するための形態】
【０００９】
本発明は、適当な位置でクランプする事でチェーンソーと目立て器を一体化し、実施例１では目立て器に駆動源を持たず、最小の部品点数で、チェーンソー自動目立て器を実現し、実施例２では目立て器に駆動源を持たせた構成を実現した。
【実施例１】
【００１０】
図１は、本発明装置における実施例１の１実例の一部強調斜視図であって、（１）〜（６）は、図２と同様である。また、図１、図２共に図中の矢印はチェーンソーの切断進行方向を示す。（７）は同期スプロケットで、（８）の軸に固定され、（１２）のベアリングを介してフレーム（１１）に組み込まれ、連結ハウジング（５）を繋ぐ同期無限連鎖状チェーンリンク（６）でループされる。【００１１】
（１）は切削刃物で、丸ヤスリやスパイラルエンドミル、又は砥石等の研削刃物を示し、（２）のホルダーは刃物を固定しチェーンソーの巾に合わせたガイドを兼ね、且つ、（４）のゴムタイヤ、又は歯車を外側に配する事で、受け板（９）の上の摩擦板、又はラックギア（１０）を自転しながらチェーンソーの刃と接触し目立てを実施する。また、ホルダー（２）はベアリング（３）で保持され連結ハウジング（５）に取付られ、両端の同期スプロケット（７）に装着の同期無限連鎖状チェーンリンク（６）に千鳥状に組付けられる、本発明の主体は実施方法にあるので、チェーンピッチ、刃物寸法、角度の説明は省略する。【００１２】
一般的なクランプとしてフレーム（１１）に固定したロッキングプライヤ（１６）とその先に取付けられたクッション（１３）を貼り付けた固定アーム（１４）とクランプアーム（１５）でチェーンソーのガイドプレートを適当な位置でクランプする事でチェーンソーと目立て器を一体化する。【００１３】
図１で、下向きの連結ハウジング（５）に示す様に切削刃物（１）、ホルダー（２）、ベアリング（３）、ゴムタイヤ、又は歯車（４）を省いて在るが、図３の分解図で示す様に（１）、（２）、（３）、（４）をセットの１ユニットにして取付・取外しの出来る事で、消耗品の切削刃物（１）の交換をする。【００１４】
以上のような構成に対して、千鳥状に配置する切削刃物（１）は４個（最小限構成）で構成し、受け板（９）の上でチェーンソーのカッターリンク（刃）と切削刃物（１）は交互に配置された左右どちらか1個が常時噛み合う事で駆動送りされ目立て処理が行われる。但し、目立て対象である、チェーンソーのカッターリンク（刃）のピッチ構成に依っては、配置する切削刃物（１）の最少構成数が１０個必要となる場合もある。
【実施例２】
【００１５】
本発明装置における実施例２の１実例としては、基本構成は実施例１と同様の構成を持ち、図１の同期スプロケット（７）が固定されている、軸（８）にモーター（１７）などの駆動機構を接続することで回転駆動を行い、より安全な目立て器を実現する。
【実施例３】
【００１６】
以下、図４〜図７を用いて、実施例１、２とは別の形態のソーチェーンの目立て器Ｃについて説明する。【００１７】
（構成）
まず、構成について説明する。本実施例のソーチェーンの目立て器Ｃは、図４〜７に示すように、ソーチェーンの保持手段を有するフレーム３１と、フレーム３１に対して移動可能に巻き掛けられた巻掛伝動部材としてのチェーン３９と、巻掛伝動部材としてのチェーン３９に千鳥状に取り付けられた複数のホルダ２４、・・・と、フレーム３１に対して固定されたラックギヤ３０、３０と、各ホルダ２４に対して回転自在に取り付けられ、チェーン３９が移動することでラックギヤ３０、３０と噛み合って回転するピニオンギヤ２３と、各ピニオンギヤ２３に固定されてピニオンギヤ２３とともに回転することで、ソーチェーンの刃を切削研磨する切削刃物２１と、を備える。【００１８】
フレーム３１は、上部にソーチェーンの保持手段を備える。ソーチェーンの保持手段は、軸３６の端部に取り付けられたハンドル３５と、軸３６の反対側に取り付けられてハンドル３５を回すことによって移動する可動クッション３３と、固定クッション３４と、を有する。したがって、固定クッション３４と可動クッション３３との間に、チェーンソーのガイドバーを挟持（クランプ）することができる。さらに、フレーム３１の下部には、モータ３７、チェーン３９などが配置されている。【００１９】
チェーン３９は、フレーム３１の両端に配置された同期スプロケット２７、２８に掛け回された巻掛伝動部材としての同期無限連鎖状チェーンリンクである。チェーン３９によって、後述するモータ３７の動力が、切削刃物２１の回転及び移動に変換される。チェーン３９が上側に移動してくると、２つの同期スプロケット２７、２８間において、ラックギヤ３０と略平行に移動する。【００２０】
ホルダ２４は、切削刃物２１及びピニオンギヤ２３を、軸受２２を介して回転可能に保持する。ホルダ２４は、チェーン３９に、千鳥状に配置されている。すなわち、図５、７に示すように、ソーチェーンの形状に合わせるように、ホルダ２４は、チェーン３９を構成するリンクに１つおきに固定され、かつ、交互に向きを変えて固定されている。【００２１】
ラックギヤ３０は、チェーン３９を挟む位置に、フレーム３１の左右両側に１つずつ配置される。各ラックギヤ３０は、チェーン３９とともに移動するピニオンギヤ２３と噛み合うことで、チェーン３９の移動による動力を、切削刃物２１の回転に変換する。【００２２】
ピニオンギヤ２３は、円柱状の切削刃物２１の軸方向両端に固定され、チェーン３９の移動によって、ラックギヤ３０と噛み合って回転する。そうすると、ピニオンギヤ２３に固定されて一体となっている切削刃物２１も回転するようになる。【００２３】
切削刃物２１は、セラミックや金属によって円柱状に形成される、丸ヤスリである。切削刃物２１は、ホルダ２４に対して取り外しできるようになっており、摩耗した場合には交換可能である。切削刃物２１は、チェーン３９の移動方向（ソーチェーンの方向と同一）に対して、傾斜して取り付けられている。すなわち、チェーン３９の移動方向に対して、切削刃物２１の回転軸は垂直ではなく、刃の角度と同じ角度（例えば３０度）だけ傾斜している。【００２４】
そして、本実施例のソーチェーンの刃の目立て器Ｃは、チェーン３９を駆動する駆動装置としてモータ３７及びスイッチボックス３８を備える。したがって、チェーンソーの動力を用いることなく、目立て器Ｃ側の動力によってソーチェーンを目立てできる。【００２５】
さらに、本実施例のソーチェーンの刃の目立て器Ｃは、ソーチェーンがチェーンソーのガイドバーから取り外された状態で、ソーチェーンを可動クッション３３及び固定クッション３４によって保持するためのダミーガイドバー（不図示）を備えることもできる。ダミーガイドバーは、実際のチェーンソーのガイドバーと略同様の構成とすることができる。これによって、チェーンソー側のモータに負荷（誘導起電力）をかけることなく、ソーチェーンの刃を目立てできる。【００２６】
（作用）
次に、図７を用いて、本実施例のソーチェーンの刃の目立て器Ｃによって、ソーチェーン５０を目立てする状態を説明する。ソーチェーン５０は、チェーン３９の上方に配置され、チェーン３９の直線状に伸びる上部と略平行に配置される。そして、チェーン３９に千鳥状に取り付けられたホルダ２４及び切削刃物２１に対応して、ソーチェーン５０の刃（カッターリンク）が配置される。【００２７】
そして、目立て器Ｃのループ状のチェーン３９を回転させることによって、切削刃物２１がチェーンソーのカッターリンク（刃）を引っぱり、ラックギヤ３０（受け板）上を自転しながらカッターリンク（刃）と接触する。そして、同期スプロケット２７、２８の回転位置の昇降部において、切削刃物２１がカッターリンク（刃）と嵌合・分離を繰り返す。したがって、目立て器Ｃ側のチェーン３９が移動するとともに切削刃物２１が回転すると、ソーチェーン５０の刃が研磨されることになる。【００２８】
（効果）
次に、本実施例のソーチェーンの刃の目立て器Ｃの奏する効果を列挙して説明する。【００２９】
（１）このように、本実施例のチェーンソー用のソーチェーンの刃の目立て器Ｃは、ソーチェーンの保持手段を有するフレーム３１と、フレーム３１に対して移動可能に巻き掛けられた巻掛伝動部材としてのチェーン３９と、チェーンに千鳥状に取り付けられた複数のホルダ２４、・・・と、フレーム３１に対して固定されたラックギヤ３０、３０と、各ホルダ２４に対して回転自在に取り付けられ、チェーンが移動することでラックギヤ３０、３０と噛み合って回転するピニオンギヤ２３と、各ピニオンギヤ２３に固定されてピニオンギヤ２３とともに回転することで、ソーチェーンの刃を切削研磨する切削刃物２１と、を備えている。このため、ソーチェーンの刃を連続的に切削研磨することができるようになる。【００３０】
（２）巻掛伝動部材は、チェーン３９であり、チェーン３９は、ソーチェーンと同一のピッチを有することで、ソーチェーンの刃を効率よく研磨できる。さらに、チェーン３９として市販されているチェーンを改造して使用できる。【００３１】
（３）巻掛伝動部材としてのチェーン３９を駆動する駆動装置としてのモータ３７及びスイッチボックス３８をさらに備えることで、チェーンソー側の動力を用いることなくソーチェーンの刃を研磨できる。さらに、モータ３７の回転速度を調整することで安全に研磨できる。【００３２】
（４）チェーンソーのガイドバーから取り外されたソーチェーンを、保持手段で保持するためのダミーガイドバーをさらに備えることで、チェーンソー側の駆動装置に負荷をかけることなく、ソーチェーンの刃を研磨できる。【００３３】
なお、この他の構成および作用効果については、前記実施の形態と略同様であるため説明を省略する。【００３４】
以上、図面を参照して、本発明の実施例を詳述してきたが、具体的な構成は、これらの実施例に限らず、本発明の要旨を逸脱しない程度の設計的変更は、本発明に含まれる。
【産業上の利用可能性】
【００３５】
従来、チェーンソーの目立て作業はチェーンソー取扱者に対する教育課程の初期において重要な課題であり、また熟練者であっても一刃、一刃、手作業で目立てする他に方法が無かった。本考案のチェーンソー自動目立て器を使うことで、初心者と熟練者に依る技術差に関係なくチェーン上のカッターリンク（刃）を使用による磨耗状態から新品同様に、短い時間での目立て作業が可能である。
【符号の説明】
【００３６】
Ｃ          ソーチェーンの目立て器
１          切削刃物
２          ホルダー
３          ベアリング
４          ゴムタイヤ、又は歯車
５          連結ハウジング
６          同期無限連鎖状チェーンリンク
７          同期スプロケット
８          軸
９          受け板
１０        摩擦板、又はラックギア
１１        フレーム
１２        ベアリング
１３        クッション
１４        固定アーム
１５        クランプアーム
１６        ロッキングプライヤ
１７        モーター
２１        切削刃物
２２        軸受
２３        ピニオンギヤ
２４        ホルダ
２７、２８  同期スプロケット
３０        ラックギヤ
３１        フレーム
３３        可動クッション
３４        固定クッション
３５        ハンドル
３７        モータ
３８        スイッチボックス
３９        チェーン
５０        ソーチェーン
【図１】
0005950377.tif 000002
【図２】
0005950377.tif 000003
【図３】
0005950377.tif 000004
【図４】
0005950377.tif 000005
【図５】
0005950377.tif 000006
【図６】
0005950377.tif 000007
【図７】
0005950377.tif 000008